(57)【要約】【課題】浴槽本体と天板部材との組立てを容易に行うことができる、浴槽を提供する。【解決手段】本発明は、浴室に配置される浴槽であって、底壁部、及び当該底壁部の周縁から起立する側壁部と、前記側壁部の上端縁から外方に延びるフランジ部、を有する浴槽本体と、前記フランジ部を覆うように枠状に形成された天板部材と、前記浴槽本体と前記天板部材とを連結する連結機構と、を備え、前記連結機構は、前記フランジ部及び天板部材のいずれか一方に形成される少なくとも１つの突出部材と、前記フランジ部及び天板部材のいずれか他方に形成され、前記各突出部材を受け入れる少なくとも１つの受入れ部と、を備え、前記各受入れ部には、前記突出部材が圧入される取付孔が形成されている。【選択図】図１０
2019088521.tif 000002
【特許請求の範囲】
【請求項１】
底壁部、及び当該底壁部の周縁から起立する側壁部と、前記側壁部の上端縁から外方に延びるフランジ部、を有する浴槽本体と、
前記フランジ部を覆うように枠状に形成された天板部材と、
前記浴槽本体と前記天板部材とを連結する連結機構と、
を備え、
前記連結機構は、
前記フランジ部及び天板部材のいずれか一方に形成される少なくとも１つの突出部材と、
前記フランジ部及び天板部材のいずれか他方に形成され、前記各突出部材を受け入れる少なくとも１つの受入れ部と、
を備え、
前記各受入れ部には、前記突出部材が圧入される取付孔が形成されている、浴槽。
【請求項２】
前記突出部材及び前記受入れ部の少なくとも一方は、略水平方向に移動可能に支持されている、請求項１に記載の浴槽。
【請求項３】
前記各突出部材は、先端にいくにしたがって径が小さくなるように形成されている、請求項２に記載の浴槽。
【請求項４】
前記各突出部材の先端は、半球状に形成されている、請求項３に記載の浴槽。
【請求項５】
前記穴の内壁面には、前記突出部材が進入する方向にいくにしたがって、径が小さくなるテーパ面が形成されている、請求項２に記載の浴槽。
【発明の詳細な説明】
【技術分野】
【０００１】
本発明は、浴槽に関する。
【背景技術】
【０００２】
浴室に配置される浴槽は、種々の構造を有する者が提案されているが、例えば、特許文献１には、次のような浴槽が開示されている。この浴槽は、底壁部、その周縁から立ち上がる角筒状の側壁部、及びこの側壁部の上端から外側に延びる枠状のフランジ部を有する浴槽本体と、フランジ部の上面に配置される天板部材と、を備えている。
【先行技術文献】
【特許文献】
【０００３】
【特許文献１】実開平４−４６８９０号公報
【発明の概要】
【発明が解決しようとする課題】
【０００４】
ところで、上記浴槽では、浴槽本体のフランジ部と天板部材とをボルトで固定するが、浴槽本体やフランジ部と、浴室の壁面との間にはスペースがないことが多いため、作業時に手を入れにくく、組立作業が容易ではなかった。本発明は、上記問題を解決するためになされたものであり、浴槽本体と天板部材との組立てを容易に行うことができる、浴槽を提供することを目的する。
【課題を解決するための手段】
【０００５】
本発明は、浴室に配置される浴槽であって、底壁部、及び当該側壁部の周縁から起立する側壁部と、前記側壁部の上端縁から外方に延びるフランジ部、を有する浴槽本体と、前記フランジ部を覆うように枠状に形成された天板部材と、前記浴槽本体と前記天板部材とを連結する連結機構と、を備え、前記連結機構は、前記フランジ部及び天板部材のいずれか一方に形成される少なくとも１つの突出部材と、前記フランジ部及び天板部材のいずれか他方に形成され、前記各突出部材を受け入れる少なくとも１つの受入れ部と、を備え、前記各受入れ部には、前記突出部材が圧入される取付孔が形成されている。
【０００６】
上記浴槽において、前記突出部材及び前記受入れ部のいずれか一方は、略水平方向に移動可能に支持することができる。
【０００７】
上記浴槽において、前記各突出部材は、先端にいくにしたがって径が小さくなるように形成することができる。
【０００８】
上記浴槽において、前記各突出部材の先端は、半球状に形成することができる。
【０００９】
上記浴槽において、前記取付孔の内壁面には、前記突出部材が進入する方向にいくにしたがって、径が小さくなるテーパ面を形成することができる。
【００１０】
上記浴槽において、前記天板部材は、前記フランジ部よりも幅を大きく形成することができる。
【発明の効果】
【００１１】
本発明によれば、浴槽本体と天板部材との組立を容易に行うことができる。
【図面の簡単な説明】
【００１２】
【図１】本発明に係る浴槽の一実施形態を示す斜視図である。
【図２】図１の浴槽における浴槽本体の斜視図である。
【図３】図２のＡ−Ａ線断面図である。
【図４】図１の浴槽における天板部材の斜視図である。
【図５】図１のＢ−Ｂ線断面図である。
【図６】図１のＣ−Ｃ線断面図である。
【図７】図１のＤ−Ｄ線断面図である。
【図８】図１の浴槽における第２長辺部と短辺部との連結部分の拡大図である。
【図９】図８のＥ−Ｅ線断面図である。
【図１０】連結構造の断面図である。
【図１１】連結構造による浴槽本体と天板部材との組立を示す断面図である。
【図１２】連結構造により、浴槽本体と天板部材との固定状態を示す断面図である。
【図１３】連結構造の他の例を示す断面図である。
【図１４】連結構造の他の例を示す断面図である。
【発明を実施するための形態】
【００１３】
以下、本発明に係る浴槽の一実施形態について、図面を参照しつつ説明する。
【００１４】
＜１．浴槽の概要＞
図１は本実施形態に係る浴槽の斜視図である。図１に示すように、本実施形態に係る浴槽は、浴室に配置されるものであり、浴槽本体１と、その上面を覆う枠型の天板部材２と、浴槽本体１の側面を覆うエプロン部材３と、を備えている。但し、図１では、板状のエプロン部材３を取り外した図を示している。これらを構成する材料は特には限定されないが、例えば、浴槽本体１は、例えば、ＦＲＰや人工大理石成形品などで形成することができる。一方、天板部材２は、例えば、発泡材などの樹脂材料で形成することができる。また、エプロン部材３は、樹脂材料で形成することができる。以下、これらについて、詳細に説明する。
【００１５】
＜１−１．浴槽本体＞
図２は浴槽本体の斜視図、図３は図２のＡ−Ａ線断面図である。図２に示すように、浴槽本体１は、矩形状の底壁部１１と、この底壁部１１の周縁から立ち上がる角筒状の側壁部１２とを備えており、これらによって湯が貯まる空間部が形成される。より詳細に説明すると、底壁部１１は、一対の長辺と、一対の短辺とを有する長方形状に形成されており、このうち、一の長辺と一対の短辺が、概ね浴室の壁面５に沿うように構成され、他の長辺が洗場を向くように構成される。これと対応して、側壁部１２は、底壁部１１の長辺から立ち上がる一対の長壁部（第１壁面部）１２１，１２２及び、短辺から立ち上がる一対の短壁部（第２壁面部）１２３，１２４を組み合わせることで構成されている。ここでは、側壁部１２の長壁部１２１，１２２のうち、洗場を向くものを第１長壁部１２１と称し、これとは反対側を第２長壁部１２２と称することとする。したがって、側壁部のうち、両短壁部１２３，１２４及び第２長壁部１２２は、洗場の壁面５と対向するように配置されている。
【００１６】
側壁部１２において、長壁部１２１，１２２と短壁部１２３，１２４との連結部分には、上下方向に延び、且つ浴槽本体１の空間部側に突出する突条部１８が形成されている。突条部１８は、長壁部１２１，１２２と短壁部１２３，１２４との間で円弧状に突出する滑らかな面を形成している。さらに、側壁部１２の上端縁には、外方に向かって水平に延びるフランジ部１３が形成され、このフランジ部１３の外周縁には、下方に向かって延びるエッジ部１４が形成されている。したがって、フランジ部１３及びエッジ部１４は、側壁部１２と対応するように、平面視矩形状の枠状に形成されている。
【００１７】
図２に示すように、フランジ部１３と側壁部１２との連結部分は、滑らかな円弧状に形成されている。また、フランジ部１３には、複数箇所に円形の取付孔１５（図１０参照）が形成されており、この取付孔１５は、後述する天板部材２との固定に用いられる。エッジ部１４のうちの３辺は、側壁部１２とともに、浴室の壁面５と対向しているが、壁面５との間には隙間が形成されている。この点については後述する。
【００１８】
＜１−２．天板部材＞
次に、天板部材について、図４〜図７を参照しつつ説明する。図４は天板部材の斜視図、図５は図１のＢ−Ｂ線断面図、図６は図１のＣ−Ｃ線断面図、図７は図１のＤ−Ｄ線断面図である。
【００１９】
図４に示すように、天板部材２は、浴槽本体１のフランジ部１３上に配置される部材であり、平面視矩形状の枠状に形成されている。より詳細には、浴槽本体１の長壁部１２１，１２２と対応する一対の長辺部２１，２２と、短壁部１２３，１２４と対応する一対の短辺部２３，２４と、を組み合わせることで構成されている。長辺部２１，２２及び短辺部２３，２４は、それぞれ直方体状に形成され、例えば、押出し成形により形成することができる。また、長辺部２１，２２の両端部において、互いに対向する内壁面同士を繋ぐように、短辺部２３，２４が固定されている。なお、以下では、２つの長辺部２１，２２のうち、洗場に面する長辺部を第１長辺部２１、反対側を第２長辺部２２と称することとする。
【００２０】
＜１−２−１．長辺部＞
次に、第１長辺部２１について説明する。図５に示すように、第１長辺部２１は、上面２１１、浴槽の内側を向く内壁面２１２、浴槽の外側を向く外壁面２１３、下面２１４、及び長手方向の両端の一対の側壁面２１５を有しており、全体として、直方体状に形成されている。
【００２１】
特に、第１長辺部２１は、フランジ部１３から洗場側へ大きく突出しており、第１長辺部２１の下面２１４には、外側から内側に向かって、水平に延びる突出面２１４１、フランジ部１３と接する接触面２１４２、及び内壁面２１２と接続される下端面２１４３が、この順で形成されている。突出面２１４１は、フランジ部１３から洗場側へ突出する面であり、長手方向に延びる溝２１６が形成されている。そして、この溝２１６には、下方へ延びる板状のエプロン部材３が嵌め込まれている。このエプロン部材３により、浴槽本体１の第１長壁部１２１が洗場側から見えないように覆われる。
【００２２】
接触面２１４２は、突出面２１４１と連続する面であり、外側から内側に向かって、フランジ部１３の上面と接する平坦面、及びフランジ部１３と第１長壁部１２１との連結部分と接する曲面が、この順で連続するように形成されている。曲面は、内側にいくにしたがって下方に延びる円弧状に形成されている。また、下端面２１４３は、接触面２１４２の曲面と、内壁面２１２とを連結するように形成され、内側にいくにしたがって上方に延びるような概ね平坦な傾斜面により構成されている。
【００２３】
次に、第２長辺部２２について説明する。図６に示すように、第２長辺部２２は、第１長辺部２１と同様に、上面２２１、浴槽の内側を向く内壁面２２２、浴槽の外側を向く外壁面２２３、下面２２４、及び長手方向の両端の一対の側壁面２２５を有しており、全体として、直方体状に形成されている。第１長辺部２１との違いは次の通りである。
【００２４】
まず、第１長辺部２１よりも幅が狭く、外側への突出量が小さい。また、下面２２４の構成が第１長辺部２１と相違している。すなわち、第２長辺部２２の下面２２４には、外側から内側に向かって、突出部２２４１、フランジ部１３と接する接触面２２４２、及び内壁面２２２と接続される下端面２２４３が、この順で形成されている。突出部２２４１は、外壁面２２３と連続するように下方に突出しており、この突出部２２４１は、上述したエッジ部１４に係合するようになっている。接触面２２４２は、外側から内側に向かって、フランジ部１３の上面と接する平坦面、及びフランジ部１３と第２長壁部１２２との連結部分と接する曲面が、この順で連続するように形成されている。曲面は、内側にいくにしたがって下方に延びる円弧状に形成されている。また、下端面２２４３は、接触面２２４２の曲面と、内壁面２２２とを連結するように形成され、内側にいくにしたがって上方に延びるような概ね平坦な傾斜面により構成されている。
【００２５】
このように、第２長辺部２２は、フランジ部１３よりも外側に突出しているが、突出した外壁面２２３が浴室の壁面５と接触するようになっている。すなわち、上述したとおり、エッジ部１４と浴室の壁面５との間には隙間が形成されているが、第２長辺部２２により、その隙間が埋められるようになっている。
【００２６】
＜１−２−２．短辺部＞
次に、短辺部２３，２４について、図７を参照しつつ説明する。図７に示すように、２つの短辺部２３，２４は、同じ構成であるため、一方のみ説明する。すなわち、短辺部２３は、上面２３１、浴槽の内側を向く内壁面２３２、浴槽の外側を向く外壁面２３３、下面２３４、及び長手方向の両端の一対の側壁面を有しており、全体として、直方体状に形成されている。なお、側壁面は、長辺部２１，２２の内壁面２１２，２２２に固定される面である。
【００２７】
短辺部２３の厚みは、長辺部２１，２２よりもやや小さく、上面２３１が長辺部２１，２２の上面２１１，２２１よりもやや下方に配置されている。また、短辺部２３の内壁面２３２は、円弧状に傾斜しており、下方にいくにしたがって内側に延びるように形成されている。短辺部２３の下面２３４は、フランジ部１３と接する接触面２３４２、及び内壁面２３２と接続される下端面２３４３が、この順で形成されている。第２長辺部２２と異なり、突出部が設けられていないが、その他の具体的な構成は、第２長辺部２２とほぼ同じであるため、説明を省略する。
【００２８】
このように、各短辺部２３，２４は、フランジ部１３よりも外側に突出しているが、突出した外壁面２３３が浴室の壁面５と接触するようになっている。上述したとおり、エッジ部１４と浴室の壁面５との間には隙間が形成されているが、各短辺部２３，２４により、その隙間が埋められるようになっている。
【００２９】
＜１−２−３．長辺部と短辺部との連結部分の構造＞
次に、長辺部２１，２２と短辺部２３，２４との連結部分の構成について、図８及び図９を参照しつつ説明する。図８は第２長辺部と短辺部との連結部分の拡大図、図９は図８のＥ−Ｅ線断面図である。上記のように、浴槽本体１の側壁部１２には、長壁部１２１，１２２と短壁部１２３，１２４との連結部分に、上下方向に延びる突条部１８が形成されている。そのため、第２長辺部２２と短辺部２３との連結部分には、この突条部１８と干渉しないように、切り欠き部２８が形成されている。なお、ここでは、第２長辺部２２と一方の短辺部２３との連結について説明するが、第１長辺部２１と短辺部２３，２４との連結構造も同じである。
【００３０】
具体的には、図８に示すように、第２長辺部２２及び短辺部２３の下端面２２４３，２３４３の両側部が斜めに切りかかれており、これら傾斜部分２２８，２３８の間に形成される凹部（切り欠き部）２８に、突条部１８が嵌まるようになっている。また、第２長辺部２２と短辺部２３において、切り欠かれた下端面２２４３，２３４３の上端の点Ｘ同士が接触するように構成されている。これにより、天板部材２と突条部１８との干渉をなくすとともに、第２長辺部２２と短辺部２３の下端面２２４３，２３４３同士が滑らかに繋がっているように見せることができる。
【００３１】
＜１−３．浴槽本体と天板部材との連結構造＞
次に、浴槽本体１と天板部材２との連結構造（本発明の連結機構）について、図１０を参照しつつ説明する。図１０は、浴槽本体の天板部材の連結構造を示す断面図である。なお、このような連結構造は、浴槽本体１のフランジ部１３と天板部材２のいずれの位置に設けられてもよく、個数も特には限定されない。好ましくは、フランジ部１３もしくは天板部２のコーナーと２０〜５０ｃｍおきに設けられる。以下では、一例として、天板部材２の第２長辺部２２とフランジ部１３との連結構造について説明する。
【００３２】
まず、上述したように、浴槽本体１のフランジ部１３には、複数箇所に取付孔（受入れ部）１５が形成されている。これと対応するように、図１０に示すように、天板部材２には、複数の固定部４が取付けられている。各固定部４は、取付孔１５に嵌まる突出部材４１と、この突出部材４１を支持する支持部材４２と、を備えている。突出部材４１は、断面円形状に形成された棒状部４１１と、この棒状部４１１の上端部に形成されたヘッド部４１２とを備えている。棒状部４１１は、フランジ部１３の取付孔１５の内径よりも大きい径を有しており、後述するように、取付孔１５に圧入される部位である。そして、棒状部４１１の下端部は半球状に形成されており、取付孔１５への位置決めを容易にしている。また、ヘッド部４１２は、棒状部４１１よりも幅広で具体的には径の大きい円板状に形成されている。但し、その上面は中央にいくにしたがって厚みが大きくなるような断面円弧状に形成されている。なお、突出部材４１は、例えば、弾性変形可能な樹脂材料等で形成することができる。
【００３３】
一方、支持部材４２は、第２長辺部２２の下面２２４に形成された凹部１３１に固定される板状の基部４２１と、この基部４２１に取付けられる保持部４２２と、を備えている。保持部４２２は、基部４２１との間で空間部を形成するようにカップ状に形成されており、底面には保持部４２２を貫通する挿通孔４２３が形成されている。そして、この空間部に、突出部材４１のヘッド部４１２が収容されるとともに、挿通孔４２３に棒状部４１１が挿通される。空間部の上下方向の高さは、ヘッド部４１２の厚みとほぼ同じであり、これによって、空間部において、突出部材４１が上下動しないように保持される。また、挿通孔４２３の径は、ヘッド部４１２よりも小さいが、棒状部４１１よりは大きくなっている。そのため、突出部材４１が挿通孔４２３から抜け出るのを防止することができるとともに、棒状部４１１が挿通孔４２３内で水平方向に移動するようになっている。したがって、突出部材４１は、支持部材４２によって、上下動はしないが、水平方向には１ｍｍ〜１ｃｍ程度移動可能に保持されるようになっている。なお、製造精度にもよるが、棒状部４１１は水平方向のうち、特定方向、具体的には、長辺部２１，２２や短辺部２３，２４の長手（延び）方向または幅方向に移動するようになっていてもよい。また、突出部材４１のヘッド部４１２は中央の厚みが大きく、この部分が主として基部４２１に接している。そのため、突出部材４１が支持部材４２内で移動する際の摩擦抵抗が低減され、スムーズに移動できるようになっている。
【００３４】
＜２．浴槽の組立＞
まず、浴槽本体１を浴室内に配置する。上記のように、側壁部１２の第２長壁部１２２及び両短壁部１２３，１２４が、浴室の壁面５と対向するように配置され、これと対応するエッジ部１４と、浴室の壁面５との間には、例えば、図６及び図７に示すように、隙間が形成される。
【００３５】
次に、天板部材２を取付ける。まず、天板部材２を浴槽本体１のフランジ部１３上に配置し、突出部材４１の先端部が、取付孔１５に嵌まるように位置決めする。このとき、突出部材４１の先端部は半球状に形成されているため、取付孔１５に嵌まりやすい。このとき、例えば、図１１に示すように、突出部材４１の先端が取付孔１５に完全に嵌まらないとしても、突出部材４１は水平方向に移動可能に保持されているため、天板部材２を押圧すると、突出部材４１は先端部の半球部分が、取付孔１５に嵌まるように水平方向に移動する。その上で、さらに天板部材２を下方に向けて押圧すると、図１２に示すように、突出部材４１が取付孔１５に圧入され、天板部材２が浴槽本体１に固定される。
【００３６】
このとき、天板部材２の第２長辺部２２及び両短辺部２３，２４は、図６及び図７に示すように、エッジ部１４と浴室の壁面５を埋め、第２長辺部２２及び両短辺部２３，２４の外壁面２３３，２４３は、浴室の壁面５と接するように配置される。そして、最後に、天板部材２の第１長辺部２１の溝２１６に、エプロン部材３を嵌め込んで、浴槽本体１の第１長壁部１２１を覆えば、図１に示すように、浴槽の組立が完了する。
【００３７】
＜３．特徴＞
以上のように、本実施形態によれば、以下の効果を得ることができる。
（１）突出部材４１は圧入により取付孔１５に嵌め込まれるため、天板部材２を押し込むだけで、浴槽本体１への固定が可能となる。ボルトなどで固定する作業が不要となり、施工性を高めることができる。
【００３８】
（２）天板部材２に設けられた突出部材４１が水平方向に移動可能に保持されているため、例えば、図１０に示すように、寸法誤差により突出部材４１の軸心と、取付孔１５の軸心とがずれていたとしても、突出部材４１が水平方向に移動することで、両者の軸心が揃うため、突出部材４１を取付孔１５に対して正確に嵌め込むことができる。したがって、天板部材２と浴槽本体１とを確実に固定することができる。
【００３９】
（３）浴槽本体１のエッジ部１４と、浴室の壁面５との間には隙間が形成されているため、この隙間に手を入れながら作業ができる。したがって、施工性を高めることができる。その一方で、天板部材２の第２長辺部２２の外壁面２２３及び短辺部２３，２４の外壁面２３３，２４３は、壁面５に接しており、この間に指を入れることはできない。したがって、例えば、一般利用者が天板部材２を真っ直ぐに引っ張り上げて取り外すことはほぼ不可能である。よって、天板部材２にがたつきが生じるのを防止することができる。
【００４０】
（４）浴槽本体１のフランジ部１３が、天板部材２に覆われ、特に、天板部材２の内壁面２１２，２２２，２３２，２４２が浴槽本体１の内側に突出しているため、フランジ部１３と天板部材２の接続部分を隠すことができ、見栄えをよくすることができる。また、天板部材２の下端面２１４３，２２４３，２３４３，２４４３が下方に向かって斜めに傾斜しながら、フランジ部１３と側壁部１２との連結部分を覆って、側壁部１２の内面にまで延びているため、汚れが溜まりにくく、清掃を容易にすることができる。
【００４１】
（５）天板部材２が、浴槽本体１とは別部材で形成され、且つ複数の直方体形状の長辺部２１，２２及び短辺部２３，２４を組み合わせることで形成されている。そのため、これら長辺部２１，２２及び短辺部２３，２４の表面に、木目などの意匠性の高いシートを貼付けたり、巻き付けたりすることができる。したがって、天板部材２の装飾性を大きく向上することができる。例えば、長辺部２１，２２及び短辺部２３，２４は、発泡材などの樹脂材料の押出成形によって形成することができ、これに装飾用のアクリルやＡＢＳ等のシートを接着剤、熱処理などによって貼付けることができる。
【００４２】
（６）天板部材２のみを取り外すことができるため、浴槽のうち、天板部材２のみを交換することができる。したがって、浴槽全体を交換する必要がなく、施工性が高く、また交換に係るコストを低減することができる。例えば、浴槽本体１を取り外すには追い炊きのためなどの配管を取り外す必要があるが、そのような作業が不要であるため、施工性が高い。
【００４３】
＜４．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００４４】
＜４−１＞
上記実施形態では、天板部材２を矩形の枠状に形成しているが、これに限定されず、平面視円形、楕円形、多角形など種々の形状にすることができる。これに合わせて、浴槽本体１も平面視円形、楕円形、多角形状にすることもできる。また、エッジ部１４は必ずしも必要ではない。
【００４５】
＜４−２＞
上記実施形態では、天板部材２に突出部材４１を設け、フランジ部１３に取付孔１５を設けているが、これを反対にすることもできる。例えば、図１３に示すように、天板部材２の下面に、取付孔６１が形成された受入れ部６を設け、フランジ部１３に突出部材４１が上向きに突出するように取付けることができる。上記実施形態と同様に、突出部材４１は取付孔６１に圧入可能となっている。また、この突出部材４１は、フランジ部１３に設けられた支持部材７により、水平方向に移動可能に保持されている。このような構成であっても、上記実施形態と同様の効果を得ることができる。
【００４６】
＜４−３＞
図１４に示すように、突出部材４１が水平方向に移動しないように固定し、取付孔が形成された受入れ部を水平方向に移動可能とすることもできる。図１４の例では、天板部材２の突出部材４１は、上記実施形態とほぼ同様の構成であるが、突出部材４１が水平方向に移動しないように固定されている。一方、フランジ部１３には、貫通孔１９が形成され、この貫通孔１９に取付孔１７が形成された受入れ部８が取付けられている。受入れ部８は、貫通孔１９よりも小さい円筒状の本体部８１を有するとともに、本体部８１の軸方向の上端部及び下端部には貫通孔１９の上縁及び下縁の周囲に係合するフランジ部８２を有している。これにより、受入れ部８は、貫通孔１９の内部で水平方向に移動可能となる。このような構成であっても、上記実施形態と同様の効果を得ることができる。
【００４７】
＜４−４＞
上記説明では、突出部材または取付孔のいずれか一方が水平方向に移動可能となっているが、両方が移動するようにしてもよい。また、いずれも移動しないようにすることもできる。
【００４８】
＜４−５＞
上記実施形態では、突出部材の外径を、取付孔の内径よりも大きくすることで、突出部材を圧入しているが、圧入により固定できるのであれば、これ以外の方法で固定することもできる。例えば、突出部材４１の断面形状と取付孔１５との形状をわずかに変えて圧入できるようにしてもよい。また、突出部材４１の断面形状と取付孔１５との形状は円形に限られず、多角形状、楕円など種々の形状であってもよい。したがって、例えば、突出部材４１の外周面に少なくとも１つのリブを設けるような異形状であってもよく、これによっても、圧入が可能となる。
【００４９】
＜４−６＞
突出部材４１の先端部は半球状にして、取付孔１５への挿入を容易にしているが、半球以外でも先端にいくにしたがって径が小さくなるように構成されていればよい。あるいは、取付孔１５の周縁にテーパ面を形成してもよい。
【００５０】
＜４−７＞
上記天板部材２は、内壁面側が、フランジ部１３を越えて内側に突出することで、フランジ部１３と天板部材２との接触部分が隠れるように構成しているが、天板部材の形状は特には限定されず、このような構成でなくてもよい。したがって、浴槽本体の形状によっては、上記のような切り欠き部２８を設けなくてもよい。また、天板部材２は、長辺部２１，２２及び短辺部２３，２４を組立てたものではなく、一体成形したものであってもよい。
【００５１】
＜４−８＞
浴槽本体１のエッジ部１４を浴室の壁面５と接するようにしてもよい。あるいは、天板部材２と浴室の壁面５との間に隙間を形成することもできる。
【符号の説明】
【００５２】
１  浴槽本体
１１  底壁部
１２  側壁部
１３  フランジ部
１５  取付孔
２  天板部材
４１  突出部材
【図１】
2019088521.tif 000003
【図２】
2019088521.tif 000004
【図３】
2019088521.tif 000005
【図４】
2019088521.tif 000006
【図５】
2019088521.tif 000007
【図６】
2019088521.tif 000008
【図７】
2019088521.tif 000009
【図８】
2019088521.tif 000010
【図９】
2019088521.tif 000011
【図１０】
2019088521.tif 000012
【図１１】
2019088521.tif 000013
【図１２】
2019088521.tif 000014
【図１３】
2019088521.tif 000015
【図１４】
2019088521.tif 000016